(57)【要約】【課題】入力される交流電力の状態が良好でないことに起因して機器が正常に起動できない場合に、装置自体が異常であるとユーザーが誤認識することを回避できること。【解決手段】主電源部７１０が交流電力Ｐ０から一次直流電力Ｐ１を生成し、第１副電源部７３および第２副電源部７４が一次直流電力Ｐ１から二次直流電力を生成する。第１副電源部７３の電力で稼働する副電源制御部７６は、主電源部７１０の電力状態の検出結果が非良好状態である場合に表示系第２副電源部７４ａに対して優先して起動信号Ｓｅを出力するとともに、表示関連機器に警報を出力させるための警報信号を出力する。【選択図】図２
2016043554.tif 000002
【特許請求の範囲】
【請求項１】
入力される交流電力から一次直流電力を生成して出力する主電源部と、
前記一次直流電力から電源制御用二次直流電力を生成して出力する第１副電源部と、
それぞれ他から起動信号が入力されることによって前記一次直流電力から機器用二次直流電力を生成して出力する複数の第２副電源部と、
前記主電源部の電力の状態を検出する電力状態検出部と、
前記電源制御用二次直流電力が供給されることにより稼働し、複数の前記第２副電源部各々に対して前記起動信号を出力する副電源制御部と、を備え、
前記副電源制御部は、
前記電力状態検出部の検出結果が予め定められた非良好条件を満たすか否かを判定する電力状態判定部と、
前記電力状態検出部の検出結果が前記非良好条件を満たす場合に、そうでない場合に比べて複数の前記第２副電源部のうち情報を表示する表示関連機器に電力を供給する表示系第２副電源部に対して優先して前記起動信号を出力する起動信号出力部と、
前記電力状態検出部の検出結果が前記非良好条件を満たす場合に、前記表示関連機器に警報を出力させるための第１警報信号を出力する第１電力状態通知部と、を有する電源装置。
【請求項２】
前記副電源制御部は、
前記電力状態検出部の検出結果が前記非良好条件を満たす場合に、前記第１副電源部から給電され第２警報信号の入力に応じて警報を出力する警報部に対して前記第２警報信号を出力する第２電力状態通知部をさらに有する、請求項１に記載の電源装置。
【請求項３】
前記電力状態判定部は、２段階の前記非良好条件の成否を判定し、
前記第１電力状態通知部は、前記電力状態検出部の検出結果が第１段階目の前記非良好条件を満たす場合に前記第１警報信号を出力し、
前記第２電力状態通知部は、前記電力状態検出部の検出結果が第２段階目の前記非良好条件を満たす場合に前記第２警報信号を出力する、請求項２に記載の電源装置。
【請求項４】
前記電力状態検出部は、前記主電源部に入力される前記交流電力の電圧がゼロクロス点を通過する時点を検出するゼロクロス検出部を含み、
前記非良好条件は、前記交流電力の電圧が前記ゼロクロス点を通過する頻度が予め定められた許容範囲から外れることを含む、請求項１から請求項３のいずれか１項に記載の電源装置。
【請求項５】
前記電力状態検出部は、前記主電源部が出力する前記一次直流電力の電圧を検出する出力電圧検出部を含み、
前記非良好条件は、前記出力電圧検出部の検出電圧が前記副電源制御部の稼働後の予め定められた時間内に予め定められた許容範囲に達しないこと、および、前記出力電圧検出部の検出電圧の変動が予め定められた許容範囲を超えることのうちの少なくとも一方を含む、請求項１から請求項４のいずれか１項に記載の電源装置。
【請求項６】
情報を表示する表示部および前記表示部を制御する表示制御部を含む前記表示関連機器と、
請求項１から請求項５のいずれか１項に記載の電源装置と、を備える画像処理装置。
【発明の詳細な説明】
【技術分野】
【０００１】
本発明は、電源装置およびそれを備える画像処理装置に関する。
【背景技術】
【０００２】
一般に、プリンターまたはスキャナーなどの画像処理装置は、商用電源などの交流電源から交流電力を入力し、その交流電力から直流電力を生成する電源装置を備える。例えば、前記交流電力の周波数が不安定である、または前記交流電力の電圧が不足しているなど、前記交流電力が非良好状態である場合、画像処理装置が正常に起動できないことがある。
【０００３】
また、画像処理装置において、入力される交流電力が不安定な状態である場合に、画像形成部による画像の記録処理を制限することなどが知られている（例えば、特許文献１参照）。
【先行技術文献】
【特許文献】
【０００４】
【特許文献１】特開２０１３−１６０８６６号公報
【発明の概要】
【発明が解決しようとする課題】
【０００５】
ところで、入力される交流電力の状態が良好でないことが原因で画像処理装置が起動できない場合、画像処理装置自体が異常であるとユーザーが誤認識するおそれがある。そのようなユーザーの誤認識が生じる事態を極力回避できることが望ましい。
【０００６】
本発明の目的は、入力される交流電力の状態が良好でないことに起因して機器が正常に起動できない場合に、装置自体が異常であるとユーザーが誤認識することを回避できる電源装置およびそれを備える画像処理装置を提供することにある。
【課題を解決するための手段】
【０００７】
本発明の一の局面に係る電源装置は、主電源部と、第１副電源部と、複数の第２副電源部と、電力状態検出部と、副電源制御部とを備える。前記主電源部は、入力される交流電力から一次直流電力を生成して出力する電源部である。前記第１副電源部は、前記一次直流電力から電源制御用二次直流電力を生成して出力する電源部である。前記第２副電源部各々は、他から起動信号が入力されることによって前記一次直流電力から機器用二次直流電力を生成して出力する電源部である。前記電力状態検出部は、前記主電源部の電力の状態を検出する部分である。前記副電源制御部は、前記電源制御用二次直流電力が供給されることにより稼働し、複数の前記第２副電源部各々に対して前記起動信号を出力する。前記副電源制御部は、電力状態判定部と、起動信号出力部と、第１電力状態通知部とを有する。前記電力状態判定部は、前記電力状態検出部の検出結果が予め定められた非良好条件を満たすか否かを判定する。前記起動信号出力部は、前記電力状態検出部の検出結果が前記非良好条件を満たす場合に、そうでない場合に比べて複数の前記第２副電源部のうち情報を表示する表示関連機器に電力を供給する表示系第２副電源部に対して優先して前記起動信号を出力する。前記第１電力状態通知部は、前記電力状態検出部の検出結果が前記非良好条件を満たす場合に、前記表示関連機器に警報を出力させるための第１警報信号を出力する。
【０００８】
本発明の他の局面に係る画像処理装置は、情報を表示する表示部および前記表示部を制御する表示制御部を含む前記表示関連機器と、本発明の一の局面に係る前記電源装置とを備える画像処理装置である。
【発明の効果】
【０００９】
本発明によれば、入力される交流電力の状態が良好でないことに起因して機器が正常に起動できない場合に、装置自体が異常であるとユーザーが誤認識することを回避できる電源装置およびそれを備える画像処理装置を提供することが可能になる。
【図面の簡単な説明】
【００１０】
【図１】図１は、本発明の第１実施形態に係る画像処理装置の構成図である。
【図２】図２は、本発明の第１実施形態に係る画像処理装置が備える電源装置のブロック図である。
【図３】図３は、本発明の第１実施形態に係る画像処理装置が備える電源装置の副電源制御部が実行する電源起動制御の手順の一例を示すフローチャートである。
【図４】図４は、本発明の第２実施形態に係る画像処理装置が備える電源装置の副電源制御部が実行する電源起動制御の手順の一例を示すフローチャートである。
【発明を実施するための形態】
【００１１】
以下、添付図面を参照しながら、本発明の実施形態について説明する。なお、以下の実施形態は、本発明を具体化した一例であって、本発明の技術的範囲を限定する性格を有さない。
【００１２】
［第１実施形態］
まず、図１，２を参照しつつ、本発明の第１実施形態に係る画像処理装置１０について説明する。図１が示すように、画像処理装置１０は、電源装置７を備える画像形成装置２を含む。さらに、本実施形態における画像処理装置１０は、画像読取装置１、主制御部８０、表示部８１および操作部８２なども備える。
【００１３】
例えば、画像処理装置１０は、複写機、複写機の機能を有するプリンターもしくはファクシミリ、または画像読取機能を含む複数の画像処理機能を備える複合機などである。
【００１４】
図１が示すようには、画像読取装置１は、透明の原稿台１３、画像走査部１１および原稿台カバー１２を備える。原稿台カバー１２には、ＡＤＦ（Auto Document Feeder）１２０が組み込まれている。
【００１５】
原稿台１３は、画像の読み取り対象物である原稿９０が載置される部分である。原稿台カバー１２は、画像処理装置１０の筐体１００に対し、原稿台１３を覆う閉位置と原稿台１３上を解放する開位置との間で回動可能に支持されている。
【００１６】
画像走査部１１は、発光部１１２を含む移動ユニット１１１、ミラーおよびレンズなどの光学系１１３及びイメージセンサー１１４などを備える。
【００１７】
発光部１１２は、原稿台１３に載置された原稿９０に向けて光を照射する光源である。発光部１１２は、原稿台１３を通じて原稿９０に光を照射する。
【００１８】
光学系１１３は、原稿９０からの反射光をイメージセンサー１１４の受光部へ導くためのミラーおよびレンズなどを含む。イメージセンサー１１４は、原稿９０からの反射光の光量を画素ごとに検出し、検出した各画素の光量データを画像データとして出力するセンサーである。例えば、イメージセンサー１１４がＣＣＤ（Charge Coupled Device）１１４であることが考えられる。
【００１９】
移動ユニット１１１は、発光部１１２および光学系１１３の一部を支持して副走査方向に沿って移動する。これにより、副走査方向における発光部１１２の光の照射位置が変化し、イメージセンサー１１４による反射光の検出領域の位置も変化する。
【００２０】
移動ユニット１１１が副走査方向に沿って移動することにより、画像走査部１１は、原稿９０における主走査方向に沿う線状領域からの反射光の光量を画素ごとに検出しつつ副走査方向に沿って原稿９０を走査する。
【００２１】
なお、発光部１１２、イメージセンサー１１４およびレンズが一体化された密着イメージセンサー（ＣＩＳ）が、画像走査部１１に採用されることも考えられる。この場合、密着イメージセンサーは、移動ユニット１１１に支持される。
【００２２】
ＡＤＦ１２０は、回転する複数の搬送ローラー１２２により、原稿トレイ１２１にセットされた原稿９０を、画像読取位置を経由して原稿排出トレイ１２３まで搬送する。その際、移動ユニット１１１が前記画像読取位置に停止した状態で、画像走査部１１は原稿９０の画像を読み取る。
【００２３】
画像形成装置２は、画像読取装置１から出力される画像データ列に応じた画像を記録シート９に形成する装置である。記録シート９は、紙、コート紙、ハガキ、封筒、およびＯＨＰシートなどのシート状の画像形成媒体である。
【００２４】
例えば、画像形成装置２は、シート搬送部３、画像形成部４、光走査部５および定着部６などを備える。図１が示す画像形成装置２は、電子写真方式の画像形成装置である。なお、画像形成装置２がインクジェット方式などの他の方式の画像形成装置であることも考えられる。
【００２５】
前記シート搬送部３において、シート送出部ローラー３１が記録シート９をシート収容部３０からシート搬送路３００へ送り出す。さらに、シート搬送ローラー３２が記録シート９をシート搬送路３００に沿って搬送する。さらに、排出ローラー３３が画像形成後の記録シート９をシート搬送路３００の出口から記録シート排出トレイ１０１上へ排出する。
【００２６】
画像形成部４は、シート搬送路３００を移動中の記録シート９の表面に画像を形成する。画像形成部４は、ドラム状の感光体４１、帯電部４２、現像部４３、転写部４５およびクリーニング部４７などを備える。なお、感光体４１は像担持体の一例である。
【００２７】
感光体４１が回転し、帯電部４２が感光体４１の表面を一様に帯電させる。さらに、光走査部５がレーザー光を走査することにより帯電した感光体４１の表面に静電潜像を書き込む。さらに、現像部４３が感光体４１に現像剤を供給することにより、前記静電潜像を前記現像剤の像へ現像する。なお、現像剤は、不図示の現像剤補給部から現像部４３へ供給される。
【００２８】
さらに、転写部４５が、シート搬送路３００を移動中の前記記録シート９に感光体４１表面の前記現像剤の像を転写する。最後に、クリーニング部４７が感光体４１表面に残存する前記現像剤を除去する。
【００２９】
定着部６は、ハロゲンヒーターなどのヒーターを内包する定着ローラー６１と加圧ローラー６２との間に画像が形成された記録シート９を挟み込み、後工程へ送り出す。これにより、定着部６は、記録シート９上の前記現像剤の像である画像を加熱し、記録シート９上にその画像を定着させる。
【００３０】
表示部８１は、テキスト情報を表示可能な液晶パネルなどの表示デバイスである。表示部８１は、主制御部８０によって制御される。操作部８２は、ユーザーの情報入力操作を受け付けるデバイスであり、例えば、表示部８１のパネルの表面に形成されたタッチパネルまたは操作ボタンなどである。
【００３１】
主制御部８０は、表示部８１に操作メニューおよび装置の状態を通知するメッセージなどの前記テキスト情報を表示させる。さらに、主制御部８０は、操作部８２を通じて入力される入力情報および不図示の各種センサーの検出結果に基づいて、画像処理装置１０が備える各種の電気機器を制御する。主制御部８０は、情報を表示する表示部８１を制御する表示制御部の一例である。
【００３２】
以下の説明において、情報を表示する表示部８１およびその表示部８１を制御する主制御部８０のことを表示関連機器８０−８１と称する。
【００３３】
電源装置７は、商用電源などの交流電源から交流電力を入力し、その交流電力から直流電力を生成する装置である。電源装置７が生成した直流電力は、画像処理装置１０が備える各種の電気機器へ供給される。
【００３４】
図１，２が示すように、本実施形態における電源装置７は、交流系電源部７１と直流系電源部７２とに区分されている。図２が示すように、交流系電源部７１は、主電源部７１０とゼロクロス検出部７１１とを含む。直流系電源部７２は、第１副電源部７３と、複数の第２副電源部７４と、電圧検出部７５と、副電源制御部７６と、記憶部７７とを含む。
【００３５】
主電源部７１０は、入力される交流電力Ｐ０から一次直流電力Ｐ１を生成して出力するＡＣ−ＤＣ電源回路を含む。交流電力Ｐ０は、商用電源などの外部の交流電源から主電源部７１０へ入力される。主電源部７１０は、一次直流電力Ｐ１の電圧を一定レベルに調節する機能を有する定電圧電源である。
【００３６】
ゼロクロス検出部７１１は、主電源部７１０に入力される交流電力Ｐ０の電圧がゼロクロス点を通過する時点を検出する回路を含む。前記ゼロクロス点は、交流電力Ｐ０の電圧が０ボルトになる点である。
【００３７】
ゼロクロス検出部７１１は、交流電力Ｐ０の電圧が前記ゼロクロス点を通過するごとにパルス信号であるゼロクロス信号Ｓｚを副電源制御部７６へ出力する。ゼロクロス検出部７１１は、主電源部７１０の入力電力の周波数の状態を検出する電力状態検出部の一例である。
【００３８】
第１副電源部７３は、一次直流電力Ｐ１から二次直流電力を生成して出力するＤＣ−ＤＣ電源回路を含む。第１副電源部７３が出力する二次直流電力のことを電源制御用二次直流電力Ｐ２と称する。電源制御用二次直流電力Ｐ２は、副電源制御部７６に供給される電力である。例えば、第１副電源部７３は、電源制御用二次直流電力Ｐ２の電圧を一定レベルに調節する機能を有する定電圧電源である。
【００３９】
複数の第２副電源部７４各々は、一次直流電力Ｐ１から二次直流電力を生成して出力するＤＣ−ＤＣ電源回路を含む。第２副電源部７４各々は、副電源制御部７６から出力される起動信号Ｓｅが入力されることによって起動し、これにより一次直流電力Ｐ１から二次直流電力を生成して出力する。第２副電源部７４が出力する二次直流電力のことを機器用二次直流電力Ｐ３と称する。
【００４０】
機器用二次直流電力Ｐ３は、副電源制御部７６以外の機器８に供給される電力である。例えば、第２副電源部７４は、機器用二次直流電力Ｐ３の電圧を一定レベルに調節する機能を有する定電圧電源である。また、起動信号Ｓｅは、第２副電源部７４を休止状態から機器用二次直流電力Ｐ３を生成する稼働状態へ移行させ、機器用二次直流電力Ｐ３の出力を有効にするためのイネーブル信号である。
【００４１】
第２副電源部７４各々は、それぞれに接続された機器８に適応した電圧および容量の機器用二次直流電力Ｐ３を出力する。そのため、第２副電源部７４各々が出力する機器用二次直流電力Ｐ３の電圧は必ずしも同じではない。
【００４２】
第２副電源部７４各々から給電される機器８には、表示関連機器８０−８１などが含まれる。表示関連機器８０−８１に機器用二次直流電力Ｐ３を供給する第２副電源部７４が起動すれば、主制御部８０が表示部８１を通じて画像処理装置１０の状態を通知することが可能になる。以下の説明において、複数の第２副電源部７４のうち表示関連機器８０−８１に電力を供給するものを表示系第２副電源部７４ａと称する。
【００４３】
電圧検出部７５は、主電源部７１０が出力する一次直流電力Ｐ１の電圧を検出し、検出電圧信号Ｓｄを出力する回路である。電圧検出部７５は、主電源部７１０の出力電力の電圧レベルの状態を検出する電力状態検出部の一例である。なお、電圧検出部７５は、出力電圧検出部の一例である。
【００４４】
例えば、電圧検出部７５は、一次直流電力Ｐ１の電圧を副電源制御部７６が入力可能なレベルの電圧へ変換し、変換後の電圧信号を検出電圧信号Ｓｄとして副電源制御部７６へ出力する電圧変換回路である。
【００４５】
副電源制御部７６は、電源制御用二次直流電力Ｐ２が供給されることにより稼働し、第２副電源部７４各々を起動させる電源起動制御を実行するコントローラーである。前記電源起動制御において、副電源制御部７６は、複数の第２副電源部７４各々に対して起動信号を出力する。例えば、副電源制御部７６は、ＭＰＵ（Micro Processor Unit）７６１および信号出力部７６２を含む。
【００４６】
ＭＰＵ７６１は、記憶部７７に予め記憶されたプログラムＰｒ１〜Ｐｒ４を実行することにより、前記電源起動制御を実行するプロセッサーである。ＭＰＵ７６１から第２副電源部７４各々へ出力される信号のインターフェイス回路である。ＭＰＵ７６１は、信号出力部７６２を通じて第２副電源部７４各々に対して起動信号Ｓｅを出力する。なお、ＭＰＵ７６１は、実行中のプログラムＰｒ１〜Ｐｒ４を一時記憶する揮発性メモリーであるＲＡＭを有している。
【００４７】
記憶部７７は、ＭＰＵ７６１に前記電源起動制御の各工程を実行させるためのプログラムＰｒ１〜Ｐｒ４を記憶する不揮発性メモリーである。例えば、記憶部７７がＲＯＭ（Read Only Memory）またはフラッシュメモリーなどであることが考えられる。
【００４８】
また、画像処理装置１０は、副電源制御部７６から後述する第２警報信号が入力された場合に、それに応じて警報を出力する警報部８３も備える。警報部８３は、主電源部７１０の電力の状態が良好でない旨を通知するための警報を出力する。警報部８３は、第１副電源部７３から直接または副電源制御部７６を介して給電される。警報部８３は、例えば前記第２警報信号が入力されたときに点滅するランプまたは警報ブザーなどである。
【００４９】
ところで、入力される交流電力Ｐ０の状態が良好でないことが原因で画像処理装置１０が起動できない場合、画像処理装置１０自体が異常であるとユーザーが誤認識するおそれがある。画像処理装置１０において、そのようなユーザーの誤認識が生じる事態を極力回避できることが望ましい。
【００５０】
電源装置７の副電源制御部７６が、以下に示される電源起動制御を実行することにより、入力される交流電力Ｐ０の状態が良好でない場合でも前記ユーザーの誤認識が生じる事態を極力回避することができる。
【００５１】
［副電源制御部７６による電源起動制御］
次に、図３に示されるフローチャートを参照しつつ、副電源制御部７６による第２副電源部７４各々を起動させるための前記電源起動制御について説明する。前記電源起動制御は、主電源部７１０から第１副電源部７３への給電が開始され、これにより第１副電源部７３から副電源制御部７６へ給電されることによって副電源制御部７６が起動したときに実行される。
【００５２】
以下の説明において、Ｓ１，Ｓ２，・・・は、前記電源起動制御における各工程の識別符号を表す。なお、以下に示される副電源制御部７６の処理は、ＭＰＵ７６１が記憶部７７に記憶された制御プログラムを実行することによって実現される。
【００５３】
＜工程Ｓ１＞
まず、副電源制御部７６は、主電源部７１０の電力状態の検出結果が予め定められた非良好条件を満たす非良好状態であるか否かを判定する。主電源部７１０の電力状態の検出結果は、ゼロクロス検出部７１１および電圧検出部７５各々の検出結果である。
【００５４】
例えば、前記非良好条件の第１条件は、交流電力Ｐ０の電圧が前記ゼロクロス点を通過する頻度が予め定められた許容範囲から外れることである。前記第１条件の判定のために、副電源制御部７６は、稼働後の予め設定された監視時間内にゼロクロス信号Ｓｚが発生する回数をカウントする。そして、副電源制御部７６は、そのカウント回数が予め設定された許容下限回数から許容上限回数までの範囲から外れていれば、主電源部７１０の電力状態が前記非良好状態であると判定し、そうでなければ良好状態であると判定する。
【００５５】
また、前記第１条件が、複数の前記監視時間と、それら各々に対応する複数組の前記許容下限回数および前記許容上限回数とについて判定されることも考えられる。この場合、起動してから予め設定された比較的短い第１監視時間内における前記ゼロクロス信号Ｓｚの発生回数が第１の許容範囲から外れている場合に、副電源制御部７６は、主電源部７１０の電力状態が前記非良好状態であると判定する。
【００５６】
さらに、前記第１監視時間よりも長い第２監視時間内における前記ゼロクロス信号Ｓｚの発生回数が、前記第１の許容範囲よりも回数の多い第２の許容範囲から外れている場合にも、副電源制御部７６は、主電源部７１０の電力状態が前記非良好状態であると判定する。例えば、前記第１監視時間が交流電力Ｐ０の本来の周期の２倍から５倍程度の時間であることが考えられる。また、前記第１監視時間が交流電力Ｐ０の本来の周期の７倍から１０倍程度の時間であることが考えられる。
【００５７】
また、電圧検出部７５の検出電圧信号Ｓｄが副電源制御部７６の稼働後の予め設定された監視時間内に予め定められた許容範囲の電圧レベルに達しないことが、前記非良好条件の第２条件として採用されることも考えられる。なお、前述したように、検出電圧信号Ｓｄは、一次直流電力Ｐ１の電圧を表す。
【００５８】
また、電圧検出部７５の検出電圧信号Ｓｄの変動が予め定められた許容範囲を超えることが、前記非良好条件の第３条件として採用されることも考えられる。例えば、検出電圧信号Ｓｄの直流成分に重畳したリップルの大きさを表すリップル電圧が、前記第３条件の判定パラメーターとして採用されることが考えられる。前記リップル電圧は、比較的短い時間内における検出電圧信号Ｓｄの振幅である。
【００５９】
副電源制御部７６は、前記第１条件、前記第２条件および前記第３条件のうちの少なくとも１つを前記非良好条件として判定する。なお、前記非良好条件が前記第１条件、前記第２条件および前記第３条件のうちの少なくとも１つを含むということは、前記第１条件、前記第２条件および前記第３条件のうちの少なくとも１つが成立すれば前記非良好条件が成立することを意味する。
【００６０】
工程Ｓ１は、副電源制御部７６のＭＰＵ７６１が電力状態判定プログラムＰｒ１を実行することによって実現される。即ち、電力状態判定プログラムＰｒ１を実行するＭＰＵ７６１は、主電源部７１０の電力状態の検出結果が前記非良好条件を満たす前記非良好状態であるか否かを判定する電力状態判定部として機能する。
【００６１】
＜工程Ｓ２＞
主電源部７１０の電力状態の検出結果が前記非良好状態ではない場合、副電源制御部７６は、予め定められた通常シーケンスに従って複数の第２副電源部７４各々を順次起動させる。即ち、副電源制御部７６は、通常の順番および時間間隔で複数の第２副電源部７４各々に対する起動信号Ｓｅを順次出力する。前記通常シーケンスは、主電源部７１０の電力状態が良好である状況下で画像処理装置１０を迅速に起動させるためのシーケンスである。
【００６２】
主電源部７１０の電力状態の検出結果が前記非良好状態ではない場合、即ち、主電源部７１０の電力状態が良好である場合、副電源制御部７６は、工程Ｓ２の後に前記電源起動制御を終了させる。
【００６３】
＜工程Ｓ３＞
一方、主電源部７１０の電力状態の検出結果が前記非良好状態である場合、副電源制御部７６は、前記通常シーケンスに従って表示系第２副電源部７４ａを起動させる場合に比べ、他の第２副電源部７４に優先して表示系第２副電源部７４ａを起動させる。
【００６４】
即ち、工程Ｓ３において、副電源制御部７６は、前記通常シーケンスに比べて複数の第２副電源部７４のうち表示系第２副電源部７４ａに対して優先して起動信号Ｓｅを出力する。
【００６５】
例えば、副電源制御部７６は、複数の第２副電源部７４各々に対して起動信号Ｓｅを順次出力する際に、前記通常シーケンスにおける順番よりも早い順番で表示系第２副電源部７４ａに対して起動信号Ｓｅを出力する。これにより、表示系第２副電源部７４ａが、起動順序が後回しにされる第２副電源部７４に優先して起動する。なお、表示系第２副電源部７４ａに対する起動信号Ｓｅが出力された段階で、起動信号Ｓｅの出力処理を中断することが考えられる。
【００６６】
また、副電源制御部７６が、表示系第２副電源部７４ａに起動信号Ｓｅを出力するまで前記通常シーケンスに従った制御工程を実行した上で、起動信号Ｓｅの出力処理を中断することも考えられる。これにより、表示系第２副電源部７４ａが、中断後に起動予定であった他の第２副電源部７４に優先して起動する。
【００６７】
ところで、第２副電源部７４またはそれに接続された機器８が、コンデンサーを含むなどの理由によって起動時に一時的に大きな電力を消費する起動特性を有する場合がある。そのような起動特性を有する複数の第２副電源部７４および機器８が、主電源部７１０の電力が前記非良好状態である状況下で短い時間間隔で順次起動すると、一時的に電力不足が生じて第２副電源部７４および機器８が正常に起動できない事態が生じ得る。
【００６８】
一方、主電源部７１０の電力が前記非良好状態であっても、複数の第２副電源部７４および機器８が比較的長い時間間隔で順次起動すれば、一時的な電力不足を回避することができ、第２副電源部７４および機器８が正常に起動できる場合がある。
【００６９】
そこで、主電源部７１０の電力状態の検出結果が前記非良好状態である場合に、副電源制御部７６が、前記通常シーケンスに比べて長い時間間隔で第２副電源部７４各々に対して起動信号Ｓｅを出力することが考えられる。これにより、一時的な電力不足を回避することができ、第２副電源部７４および機器８が正常に起動できる場合がある。
【００７０】
工程Ｓ２，Ｓ３は、副電源制御部７６のＭＰＵ７６１が起動信号出力プログラムＰｒ２を実行することによって実現される。即ち、起動信号出力プログラムＰｒ２を実行するＭＰＵ７６１は、主電源部７１０の電力状態の検出結果が前記非良好状態である場合に、そうでない場合に比べて複数の第２副電源部７４のうち表示関連機器８０−８１に電力を供給する表示系第２副電源部７４ａに対して優先して起動信号Ｓｅを出力する起動信号出力部として機能する。
【００７１】
＜工程Ｓ４＞
工程Ｓ３の後、副電源制御部７６は、表示関連機器８０−８１に警報を出力させるための第１警報信号を出力する。より具体的には、副電源制御部７６は、主制御部８０に対して前記第１警報信号を出力する。これにより、主制御部８０は、主電源部７１０の電力状態が良好でない旨のメッセージを表示部８１を通じて出力する。
【００７２】
また、画像処理装置１０の電源コードのプラグが、交流電力Ｐ０の電源側の差込口に正しく接続されていない場合にも、主電源部７１０の電力状態の検出結果が前記非良好状態になり得る。そのため、主制御部８０が、前記第１警報信号を受けた場合に、電源コードのプラグの接続状況を確認することなどを含む対策メッセージを、表示部８１を通じて出力することも考えられる。
【００７３】
工程Ｓ４は、副電源制御部７６のＭＰＵ７６１が第１電力状態通知プログラムＰｒ３を実行することによって実現される。即ち、第１電力状態通知プログラムＰｒ３を実行するＭＰＵ７６１は、主電源部７１０の電力状態の検出結果が前記非良好状態である場合に、前記表示関連機器８０−８１に警報を出力させるための前記第１警報信号を出力する第１電力状態通知部として機能する。
【００７４】
＜工程Ｓ５＞
さらに、副電源制御部７６は、主電源部７１０の電力が前記非良好状態である場合に、警報部８３に対して前記第２警報信号を出力する。これにより、警報部８３は、前記第２警報信号の入力に応じて警報を出力する。この警報は、主電源部７１０の電力の状態が良好でない旨を通知する警報である。
【００７５】
前記第１警報信号および前記第２警報信号が出力された後、副電源制御部７６は、前記電源起動制御に関する処理を終了させる。
【００７６】
工程Ｓ５は、副電源制御部７６のＭＰＵ７６１が第２電力状態通知プログラムＰｒ４を実行することによって実現される。即ち、第２電力状態通知プログラムＰｒ４を実行するＭＰＵ７６１は、主電源部７１０の電力状態の検出結果が前記非良好状態である場合に、警報部８３に対して第２警報信号を出力する第２電力状態通知部として機能する。
【００７７】
以上に示したように、電源装置７において、副電源制御部７６は、主電源部７１０の電力が前記非良好状態である場合に、そうでない場合に比べて表示系第２副電源部７４ａを優先して起動させる（Ｓ３）。さらに、副電源制御部７６は、表示系第２副電源部７４ａから給電される表示関連機器８０−８１に警報を出力させる（Ｓ４）。
【００７８】
従って、電源装置７が採用されれば、入力される交流電力Ｐ０の状態が良好でないことに起因して一部の機器８しか正常に起動できない場合でも、ユーザーは表示関連機器８０−８１の警報によって起動不良の原因を認識できる。その結果、画像処理装置１０自体が異常であるとユーザーが誤認識することを回避することができる。
【００７９】
さらに、表示関連機器８０−８１が、副電源制御部７６から前記第１警報信号を受けたときに、前記プラグの接続確認などの情報を含む対策メッセージを表示することも考えられる。これにより、画像処理装置１０を正常に起動できる可能性が高まる。
【００８０】
また、電源装置７が警報部８３を通じて警報を出力する機能を有する場合、起動が優先される表示関連機器８０−８１さえも正常に起動できない場合でも、ユーザーは警報部８３の警報によって起動不良の原因を認識できる。その結果、画像処理装置１０自体が異常であるとユーザーが誤認識することをより確実に回避することができる。
【００８１】
[第２実施形態]
次に、図４を参照しつつ、本発明の第２実施形態に係る画像処理装置において、電源装置７の副電源制御部７６が実行する電源起動制御について説明する。図４は、第２実施形態において副電源制御部７６が実行する電源起動制御の手順の一例を示すフローチャートである。
【００８２】
第２実施形態に係る画像処理装置は、第１実施形態における画像処理装置１０と同等の構成を備える。第２実施形態に係る画像処理装置は、副電源制御部７６が実行する前記電源起動制御の一部について画像処理装置１０と異なっている。以下、第２実施形態の副電源制御部７６が実行する前記電源起動制御の一例について説明する。
【００８３】
以下の説明において、Ｓ１１，Ｓ１２，・・・は、前記電源起動制御における各工程の識別符号を表す。なお、以下に示される副電源制御部７６の処理は、ＭＰＵ７６１が記憶部７７に記憶された制御プログラムを実行することによって実現される。
【００８４】
＜工程Ｓ１１＞
まず、副電源制御部７６は、工程Ｓ１と同様に、主電源部７１０の電力状態の検出結果が予め定められた非良好条件を満たす非良好状態であるか否かを判定する。但し、工程Ｓ１１において、副電源制御部７６は、２段階の前記非良好条件の成否を判定する。
【００８５】
第２段階目の前記非良好条件は、第１段階目の前記非良好条件に比べ、主電源部７１０の電力状態の検出結果がより悪い状態であることを示す条件である。さらに、第１段階目の前記非良好条件は、それが成立しても表示系第２副電源部７４ａおよび表示関連機器８０−８１の起動が可能な程度の条件である。一方、第２段階目の前記非良好条件は、それが成立すると表示系第２副電源部７４ａまたは表示関連機器８０−８１の起動が不可能になる程度の条件である。
【００８６】
例えば、前記非良好条件として前記第１条件が採用される場合、交流電力Ｐ０の電圧が前記ゼロクロス点を通過する頻度の許容範囲は、第２段階目の条件における前記許容範囲の方が、第１段階目の条件における前記許容範囲よりも、良好時の頻度からより外れた範囲に設定される。
【００８７】
また、前記非良好条件として前記第２条件が採用される場合、検出電圧信号Ｓｄの許容範囲は、第２段階目の条件における前記許容範囲の方が、第１段階目の条件における前記許容範囲よりも、良好時の検出電圧信号Ｓｄのレベルからより外れた範囲に設定される。
【００８８】
また、前記非良好条件として前記第３条件が採用される場合、検出電圧信号Ｓｄの変動の許容範囲は、第２段階目の条件における前記許容範囲の方が、第１段階目の条件における前記許容範囲よりもより大きな範囲に設定される。
【００８９】
工程Ｓ１１は、副電源制御部７６のＭＰＵ７６１が電力状態判定プログラムＰｒ１を実行することによって実現される。
【００９０】
＜工程Ｓ１２＞
主電源部７１０の電力状態の検出結果が前記非良好状態ではない場合、副電源制御部７６は、工程Ｓ２と同様に、前記通常シーケンスに従って複数の第２副電源部７４各々を順次起動させる。
【００９１】
＜工程Ｓ１３＞
一方、主電源部７１０の電力状態の検出結果が第１段階目の前記非良好状態である場合、副電源制御部７６は、工程Ｓ３と同様に、前記通常シーケンスに従って表示系第２副電源部７４ａを起動させる場合に比べ、他の第２副電源部７４に優先して表示系第２副電源部７４ａを起動させる。
【００９２】
即ち、工程Ｓ１３において、副電源制御部７６は、前記通常シーケンスに比べて複数の第２副電源部７４のうち表示系第２副電源部７４ａに対して優先して起動信号Ｓｅを出力する。
【００９３】
工程Ｓ１２，Ｓ１３は、副電源制御部７６のＭＰＵ７６１が起動信号出力プログラムＰｒ２を実行することによって実現される。
【００９４】
＜工程Ｓ１４＞
工程Ｓ１３の後、副電源制御部７６は、表示関連機器８０−８１に警報を出力させるための第１警報信号を出力する。より具体的には、副電源制御部７６は、主制御部８０に対して前記第１警報信号を出力する。これにより、主制御部８０は、主電源部７１０の電力状態が良好でない旨のメッセージを表示部８１を通じて出力する。
【００９５】
工程Ｓ１４は、副電源制御部７６のＭＰＵ７６１が第１電力状態通知プログラムＰｒ３を実行することによって実現される。
【００９６】
＜工程Ｓ１５＞
一方、主電源部７１０の電力状態の検出結果が第２段階目の前記非良好状態である場合、副電源制御部７６は、工程Ｓ５と同様に、警報部８３に対して前記第２警報信号を出力する。これにより、警報部８３は、前記第２警報信号の入力に応じて警報を出力する。
【００９７】
前記第１警報信号または前記第２警報信号が出力された後、副電源制御部７６は、前記電源起動制御に関する処理を終了させる。
【００９８】
工程Ｓ１５は、副電源制御部７６のＭＰＵ７６１が第２電力状態通知プログラムＰｒ４を実行することによって実現される。
【００９９】
以上に示したように、第２実施形態において、副電源制御部７６は、２段階の前記非良好条件の成否を判定し、第１段階目の前記非良好条件が成立した場合に前記第１警報信号を出力し、第２段階目の前記非良好条件が成立した場合に前記第２警報信号を出力する。
【０１００】
第１段階目の前記非良好条件が成立する状態は、表示系第２副電源部７４ａおよび表示関連機器８０−８１の起動に支障がない程度の比較的軽度の電源不良の状態である。そのような場合に、電源の状態または対策などの情報を含む警報が表示部８１を通じて出力されれば、ユーザーの誤認識を回避でき、さらに、適切な対応を促すことができる。
【０１０１】
また、第２段階目の前記非良好条件が成立する状態は、表示関連機器８０−８１を起動できない程度の比較的重度の電源不良の状態である。第２実施形態によれば、電源不良の状態の軽重に応じて異なる態様で警報が出力される。そのため、ユーザーは状況の深刻度合を容易に把握することができる。
【０１０２】
[応用例]
以上に示された電源装置７において、ゼロクロス検出部７１１が、予め設定された監視時間内にゼロクロス信号Ｓｚが発生する回数をカウントし、そのカウント回数の情報を副電源制御部７６に出力することも考えられる。この場合、副電源制御部７６は、ゼロクロス信号Ｓｚのカウント回数が予め設定された許容範囲から外れているか否かを判定することによって前記非良好条件の成立有無を判定する。
【０１０３】
また、電圧検出部７５が、予め定められた時間内に検出電圧信号Ｓｄが予め定められた許容範囲のレベルに到達したか否かを検知し、その検知結果を副電源制御部７６に出力することも考えられる。この場合、副電源制御部７６は、電圧検出部７５からレベル到達の検知結果が稼働後の所定時間内に入力されるか否かを判定することにより、前記非良好条件の成立有無を判定する。
【０１０４】
また、電圧検出部７５が、予め定められた時間内における検出電圧信号Ｓｄの前記リップル電圧を検出し、そのリップル電圧の情報を副電源制御部７６に出力することも考えられる。この場合、副電源制御部７６は、前記リップル電圧が予め定められた許容範囲内であるか否かを判定することによって前記非良好条件の成立有無を判定する。
【０１０５】
また、電源装置７が、画像処理装置以外の情報処理装置またはその他の装置に適用されることも考えられる。
【０１０６】
なお、本発明に係る電源装置および画像処理装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１０７】
１          ：画像読取装置
２          ：画像形成装置
３          ：シート搬送部
４          ：画像形成部
５          ：光走査部
６          ：定着部
７          ：電源装置
８          ：機器
９          ：記録シート
１０        ：画像処理装置
１１        ：画像走査部
１２        ：原稿台カバー
１３        ：原稿台
３０        ：シート収容部
３１        ：シート送出部ローラー
３２        ：シート搬送ローラー
３３        ：排出ローラー
４１        ：感光体（像担持体）
４２        ：帯電部
４３        ：現像部
４５        ：転写部
４７        ：クリーニング部
６１        ：定着ローラー
６２        ：加圧ローラー
７１        ：交流系電源部
７２        ：直流系電源部
７３        ：第１副電源部
７４        ：第２副電源部
７４ａ      ：表示系第２副電源部
７５        ：電圧検出部
７６        ：副電源制御部
７７        ：記憶部
８０        ：主制御部（表示関連機器）
８１        ：表示部（表示関連機器）
８２        ：操作部
８３        ：警報部
９０        ：原稿
１００      ：筐体
１０１      ：記録シート排出トレイ
１１１      ：移動ユニット
１１２      ：発光部
１１３      ：光学系
１１４      ：イメージセンサー
１２１      ：原稿トレイ
１２２      ：搬送ローラー
１２３      ：原稿排出トレイ
３００      ：シート搬送路
７１０      ：主電源部
７１１      ：ゼロクロス検出部
７６１      ：ＭＰＵ
７６２      ：信号出力部
Ｐ０        ：交流電力
Ｐ１        ：一次直流電力
Ｐ２        ：電源制御用二次直流電力
Ｐ３        ：機器用二次直流電力
Ｐｒ１      ：電力状態判定プログラム
Ｐｒ２      ：起動信号出力プログラム
Ｐｒ３      ：第１電力状態通知プログラム
Ｐｒ４      ：第２電力状態通知プログラム
Ｓｄ        ：検出電圧信号
Ｓｅ        ：起動信号
Ｓｚ        ：ゼロクロス信号
【図１】
2016043554.tif 000003
【図２】
2016043554.tif 000004
【図３】
2016043554.tif 000005
【図４】
2016043554.tif 000006